(57)【要約】【課題】様々な規格の充電電池を充電させることができる上、充電装置の体積を低減させることができる可変式充電装置を提供する。【解決手段】可変式充電装置２００は、極性がそれぞれ異なる第１の電極１１０と第２の電極１２０とを有する充電電池１００を充電させるために用い、交流／直流変換器を内蔵しない。可変式充電装置２００は、充電電池１００を挟持するために用いるクランプカバー２１０と、クランプカバー２１０に配置され、外部電源と接続された伝達インターフェース２２０と、クランプカバー２１０に配置され、クランプカバー２１０内に少なくとも１つが枢着され、第１の電極１１０と第２の電極１２０とにそれぞれ接触された２つの導電性リード２３０，２３２と、を備える。【選択図】図２Ａ
0003147870.tif 000002
【実用新案登録請求の範囲】
【請求項１】
極性がそれぞれ異なる第１の電極と第２の電極とを有する充電電池を充電させるために用い、交流／直流変換器を内蔵しない可変式充電装置であって、
前記充電電池を挟持するために用いるクランプカバーと、
前記クランプカバーに配置され、外部電源と接続された伝達インターフェースと、
前記クランプカバーに配置され、前記クランプカバー内に少なくとも１つが枢着され、前記第１の電極と前記第２の電極とにそれぞれ接触された２つの導電性リードと、を備えることを特徴とする可変式充電装置。
【考案の詳細な説明】
【技術分野】
【０００１】
本考案は、充電装置に関し、特に、様々な規格の充電電池に利用することが可能な可変式充電装置に関する。
【背景技術】
【０００２】
科学技術の発展に伴い、様々な携帯型電子機器が人々の生活で広く利用されるようになってきている。例えば、一般の携帯型電子機器には、パーソナルデジタルアシスタント（Ｐｅｒｓｏｎａｌ  Ｄｉｇｉｔａｌ  Ａｓｓｉｓｔａｎｔ：ＰＤＡ）、携帯電話（ｍｏｂｉｌｅ  ｐｈｏｎｅ）、スマートフォン（ｓｍａｒｔ  ｐｈｏｎｅ）、デジタルカメラ（ｄｉｇｉｔａｌ  ｃａｍｅｒａ）などが含まれ、小型で携帯に便利なために使用者が増えてきている。
【０００３】
携帯型電子機器は、リチウム電池など、繰り返して充電することが可能な電池を電源として用いるものがほとんどであり、正常に作動させるためには、一定時間ごとに対応した充電器で充電する必要があった。現代人は様々な携帯型電子機器を身につけているが、各携帯型電子機器が使用する充電器はそれぞれ異なり、複数の充電器を携帯することは不便であるため、利便性が悪かった。
【０００４】
図１を参照する。図１は、従来の充電電池１００を示す斜視図である。この充電電池１００は、ニッケル水素電池、ニッケルカドミウム電池、リチウム電池などである。充電電池１００は、電気容量が大きく使用時間が長い上、充電を繰り返して使用できるため、携帯型電子機器（例えば、パーソナルデジタルアシスタント（Ｐｅｒｓｏｎａｌ  Ｄｉｇｉｔａｌ  Ａｓｓｉｓｔａｎｔ：ＰＤＡ）、携帯電話（ｍｏｂｉｌｅ  ｐｈｏｎｅ）、スマートフォン（ｓｍａｒｔ  ｐｈｏｎｅ）、デジタルカメラ（ｄｉｇｉｔａｌ  ｃａｍｅｒａ）など）で利用されている。
【０００５】
充電電池１００は、互いに極性の異なる第１の電極１１０と第２の電極１２０とを含む。例えば、第１の電極１１０が正極の場合、第２の電極１２０は負極である。しかし、一般に充電電池１００を充電するには、それと規格が異なる充電器を使用することができず、必ず所定の充電器を利用しなければならなかったため、使用および携帯上不便であった。
【考案の開示】
【考案が解決しようとする課題】
【０００６】
そのため、本考案の目的は、様々な規格の充電電池を充電させることができる上、充電装置の体積を低減させることができる可変式充電装置を提供することにある。
【課題を解決するための手段】
【０００７】
（１）  極性がそれぞれ異なる第１の電極と第２の電極とを有する充電電池を充電させるために用い、交流／直流変換器を内蔵しない可変式充電装置であって、前記充電電池を挟持するために用いるクランプカバーと、前記クランプカバーに配置され、外部電源と接続された伝達インターフェースと、前記クランプカバーに配置され、前記クランプカバー内に少なくとも１つが枢着され、前記第１の電極と前記第２の電極とにそれぞれ接触された２つの導電性リードと、を備えることを特徴とする可変式充電装置を提供する。
【考案の効果】
【０００８】
本考案の可変式充電装置によれば、様々な規格の充電電池を充電させることができる上、充電装置の体積を低減させることができる。
【考案を実施するための最良の形態】
【０００９】
以下、本考案の実施形態について図に基づいて説明する。なお、これによって本考案が限定されるものではない。
【００１０】
（第１実施形態）
図２Ａおよび図２Ｂを同時に参照する。図２Ａは、本考案の第１実施形態による可変式充電装置２００を示す平面図である。図２Ｂは、本考案の第２実施形態による可変式充電装置２００を示す側面図である。可変式充電装置２００は、クランプカバー２１０、伝達インターフェース２２０および２つの導電性リード２３０，２３２を含む。クランプカバー２１０は、好ましくは絶縁カバーであり、充電電池１００を挟持するために用いられる。伝達インターフェース２２０は、クランプカバー２１０上（特に、クランプカバー２１０のヒンジ部２１２）に設けられ、外部電源と接続される。導電性リード２３０，２３２は、クランプカバー２１０内に配置され、導電性リード２３０，２３２の一方の端部は、伝達インターフェース２２０と接続され、導電性リード２３０，２３２の他方の端部は、充電電池１００の第１の電極１１０と第２の電極１２０とにそれぞれ接触されている。ここで、可変式充電装置２００には、交流／直流変換器が内蔵されていない。
【００１１】
第１実施形態による可変式充電装置２００は、デスクトップ型パソコン本体またはノート型パソコンを外部電源として利用してもよい。伝達インターフェース２２０は、ユニバーサルシリアルバス（Ｕｎｉｖｅｒｓａｌ  Ｓｅｒｉａｌ  Ｂｕｓ：ＵＳＢ）、ミニユニバーサルシリアルバス（Ｍｉｎｉ  Ｕｎｉｖｅｒｓａｌ  Ｓｅｒｉａｌ  Ｂｕｓ：Ｍｉｎｉ  ＵＳＢ）またはその他任意の伝達インターフェースでもよい。可変式充電装置２００は、デスクトップ型パソコン本体またはノート型パソコンの対応するポートに伝達インターフェース２２０を挿入して充電を行ってもよい。この際、外部電源からの電流は直流であり、接続された伝達インターフェース２２０を介して導電性リード２３０，２３２に電流が流れる。続いて、この電流が導電性リード２３０，２３２から充電電池１００の第１の電極１１０および第２の電極１２０へ送られ、充電電池１００に蓄積される。この充電電池１００は、ニッケル水素電池、ニッケルカドミウム電池、リチウム電池などでもよい。
【００１２】
可変式充電装置２００は、制御用回路基板２４０および複数の発光素子２５０をさらに含んでもよい。制御用回路基板２４０は、クランプカバー２１０内に配置され、伝達インターフェース２２０と導電性リード２３０，２３２とそれぞれ電気的に接続されている。発光素子２５０は、好ましくはクランプカバー２１０の外表面に配置され、制御用回路基板２４０により制御される。発光素子２５０は、互いに異なる機能を有する表示ランプでもよい。例えば、発光素子２５０ａが点灯すると、それは導電性リード２３０，２３２が第１の電極１１０および第２の電極１２０と完全に接触されていることを表し、発光素子２５０ｂが点滅し続けると、それは充電中を表し、発光素子２５０ｂが点灯し続けると、それは充電が完了したことを表すようにしてもよい。或いは、上述の機能を１つの発光素子２５０だけで行い、充電状況を様々な点灯方式の組み合わせにより表してもよい。
【００１３】
制御用回路基板２４０は、第１の電極１１０および第２の電極１２０の極性を判別するために、伝達インターフェース２２０および導電性リード２３０，２３２とそれぞれ接続されたスイッチ回路２４２をさらに含んでもよい。このスイッチ回路２４２は、必要に応じて接触される導電性リード２３０，２３２の極性を切り替え、直流電流を対応する電極に送り、充電電池１００に蓄積させる。第１実施形態では、このスイッチ回路２４２が充電電池１００に接続されると、第１の電極１１０および第２の電極１２０の極性を自動的に判別することができる。他の実施形態では、外付けされた切り替えスイッチを用い、充電時の導電性リード２３０，２３２の極性を手動で切り替えてもよい。
【００１４】
制御用回路基板２４０は、伝達インターフェース２２０と導電性リード２３０，２３２とそれぞれ接続された充放電保護回路２４４を含んでもよい。この充放電保護回路２４４は、充電電池１００が完全に充電されると作動し、可変式充電装置２００の充電を停止させて充電電池１００を保護するために用いる。さらに、この充放電保護回路２４４は、充電電池１００が過度に放電されたときにも作動して充電電池１００を保護するために用いる。
【００１５】
制御用回路基板２４０は、導電性リード２３０，２３２同士が不用意に接触して短絡が発生し、可変式充電装置２００が破壊されることを防ぐために、導電性リード２３０，２３２と接続された短絡保護回路２４６をさらに含んでもよい。
【００１６】
第１実施形態の導電性リード２３０，２３２は、好ましくは可撓性を有する金属を含み、クランプカバー２１０内に可動可能に枢着されている。可変式充電装置２００は、充電電池１００の第１の電極１１０と第２の電極１２０との間隔と等しくなるように、導電性リード２３０と導電性リード２３２との間隔を手動で調節することができる。このように、可変式充電装置２００は、様々な規格の充電電池１００に応じて導電性リード２３０，２３２を調整することができるため、様々な規格の充電電池１００に対応することができる。
【００１７】
（第２実施形態）
図３を参照する。図３は、本考案の第２実施形態による可変式充電装置２００を示す側面図である。第２実施形態では、導電性リード２３０（図示せず）がクランプカバー２１０内に固定され、導電性リード２３２がクランプカバー２１０内に可動可能に枢着されている。第２実施形態による可変式充電装置２００は、充電電池１００の第１の電極１１０と第２の電極１２０との間隔と等しくなるように、導電性リード２３０と導電性リード２３２との間隔を手動で調整することができる。
【００１８】
第２実施形態で使用する外部電源は、家庭用交流電源でよい。そのため、可変式充電装置２００には変換器３００が外付けされてもよい。この変換器３００は、アダプタコード３１０およびアダプタ３２０を含む。このアダプタコード３１０は、伝達インターフェース２２０と同じ転送インターフェース３１２を有し、伝達インターフェース２２０と接続され、可変式充電装置２００に変換器３００を外付けさせる。
【００１９】
アダプタ３２０は、家庭用交流電流のソケットに挿入するプラグ３２２を含む。さらにアダプタ３２０は、交流／直流変換器３２４および変圧器３２６を含む。交流電流は、交流／直流変換器３２４により直流電流に変換され、この直流電流の電圧は、変圧器３２６により、充電電池１００を充電させる電圧に変換される。続いて、処理された電流がアダプタコード３１０および転送インターフェース３１２を介し、可変式充電装置２００内に送られる。
【００２０】
上述の実施形態から分かるように、本考案は以下の長所を有する。本考案の可変式充電装置は、充電電池の第１の電極と第２の電極との間隔と同じになるように、導電性リードの間隔を手動で調整することができるため、様々な規格の充電電池に利用することができる。また、本考案の可変式充電装置は、交流／直流変換器が内蔵されておらず、パソコン本体に直接挿入させて充電を行うことができるため、可変式充電装置の体積を有効に低減させることができる。
【００２１】
以上、当該分野の技術を熟知するものが理解できるように本考案の好適な実施形態を開示したが、本考案は上述した実施形態に限定されるものではなく、本考案の主旨と領域を脱しない範囲内で各種の変更や修正を加えることができる。従って、本考案の実用新案登録請求の範囲は、このような変更や修正を含めて広く解釈される。
【図面の簡単な説明】
【００２２】
【図１】従来の充電電池を示す斜視図である。
【図２Ａ】本考案の第１実施形態による可変式充電装置を示す平面図である。
【図２Ｂ】本考案の第１実施形態による可変式充電装置を示す側面図である。
【図３】本考案の第２実施形態による可変式充電装置を示す側面図である。
【符号の説明】
【００２３】
１００  充電電池
１１０  第１の電極
１２０  第２の電極
２００  可変式充電装置
２１０  クランプカバー
２１２  ヒンジ部
２２０  伝達インターフェース
２３０  導電性リード
２３２  導電性リード
２４０  制御用回路基板
２４２  スイッチ回路
２４４  充放電保護回路
２４６  短絡保護回路
２５０  発光素子
２５０ａ  発光素子
２５０ｂ  発光素子
３００  変換器
３１０  アダプタコード
３１２  転送インターフェース
３２０  アダプタ
３２２  プラグ
３２４  交流／直流変換器
３２６  変圧器
【図１】
0003147870.tif 000003
【図２Ａ】
0003147870.tif 000004
【図２Ｂ】
0003147870.tif 000005
【図３】
0003147870.tif 000006